(57)【要約】【課題】ユーザが建物外にいるときに建物内の電気機器を操作することを課題とする。【解決手段】スマートスイッチは、建物内に設置される電気機器を操作する。スマートスイッチは、無線通信リンクを用いて端末装置を監視する。スマートスイッチは、監視される端末装置の連絡先に関する連絡先情報を記憶する。スマートスイッチは、端末装置と接続される無線通信リンクが切断された状態で、ユーザからの操作を受け付けた場合に、連絡先情報を基にして、端末装置との間でセッションを確立する。スマートスイッチは、確立されたセッションを用いて、端末装置から電気機器の操作に関する情報を受信した場合に、電気機器を操作する。【選択図】図１
2018125678.tif 000002
【特許請求の範囲】
【請求項１】
電気機器と、
前記電気機器を操作するコントローラ装置とを有し、
前記コントローラ装置は、
無線通信リンクを用いて端末装置を監視する監視部と、
前記監視部に監視される端末装置の連絡先に関する連絡先情報を記憶する記憶部と、
前記端末装置と接続される無線通信リンクが切断された状態で、ユーザからの操作を受け付けた場合に、前記記憶部に記憶される前記連絡先情報を基にして、前記端末装置との間でセッションを確立する確立部と、
確立された前記セッションを用いて、前記端末装置から前記電気機器の操作に関する情報を受信した場合に、前記電気機器を操作する操作部とを有し、
床部と、前記床部から立ち上がると共に室内空間を囲む壁部であって、該壁部は前記コントローラ装置を有することを特徴とする建物。
【請求項２】
建物内に設置される電気機器を操作するコントローラ装置であって、
無線通信リンクを用いて端末装置を監視する監視部と、
前記監視部に監視される端末装置の連絡先に関する連絡先情報を記憶する記憶部と、
前記端末装置と接続される無線通信リンクが切断された状態で、ユーザからの操作を受け付けた場合に、前記記憶部に記憶される前記連絡先情報を基にして、前記端末装置との間でセッションを確立する確立部と、
確立された前記セッションを用いて、前記端末装置から前記電気機器の操作に関する情報を受信した場合に、前記電気機器を操作する操作部と
を有することを特徴とするコントロール装置。
【請求項３】
前記建物内に設置される各電気機器を操作するコマンドと、当該電気機器に実行する操作内容とを対応付けて記憶するコマンド記憶部をさらに有し、
前記確立部は、前記セッションを介して受信したコマンドに対応する電気機器および操作内容を前記コマンド記憶部から特定し、赤外線通信を用いて、特定した電気機器に特定した操作内容を実行することを特徴とする請求項２に記載のコントロール装置。
【請求項４】
前記コマンド記憶部は、前記コマンドと前記操作内容として、エアコンへの操作を示す第１のコマンドと前記エアコンの起動を示す情報、電子ロックへの操作を示す第２のコマンドと前記電子ロックの施錠を示す情報、インターホンへの操作を示す第３のコマンドと前記インターホンの無効化を示す情報の少なくとも１つを記憶し、
前記確立部は、前記第１のコマンドを受信した場合は、前記エアコンを起動し、前記第２のコマンドを受信した場合は、前記電子ロックを施錠し、前記第３のコマンドを受信した場合は、前記インターホンを無効化することを特徴とする請求項３に記載のコントロール装置。
【請求項５】
建物内に設置される電気機器を操作するコントローラ装置が、
無線通信リンクを用いて端末装置を監視し、
前記端末装置と接続される無線通信リンクが切断された状態で、ユーザからの操作を受け付けた場合に、監視される前記端末装置の連絡先に関する連絡先情報を記憶する記憶部を参照して、前記端末装置との間でセッションを確立し、
確立された前記セッションを用いて、前記端末装置から前記電気機器の操作に関する情報を受信した場合に、前記電気機器を操作する
処理を実行することを特徴とする制御方法。
【請求項６】
建物内に設置される電気機器を操作するコントローラ装置に、
無線通信リンクを用いて端末装置を監視し、
前記端末装置と接続される無線通信リンクが切断された状態で、ユーザからの操作を受け付けた場合に、監視される前記端末装置の連絡先に関する連絡先情報を記憶する記憶部を参照して、前記端末装置との間でセッションを確立し、
確立された前記セッションを用いて、前記端末装置から前記電気機器の操作に関する情報を受信した場合に、前記電気機器を操作する
処理を実行させることを特徴とする制御プログラム。
【発明の詳細な説明】
【技術分野】
【０００１】
本発明は、建物、コントロール装置、制御方法および制御プログラムに関する。
【背景技術】
【０００２】
従来から、核家族化や共働きの夫婦の増加に伴い、子供が一人で留守番を行う機会が増えている。宅内には、ガスを使うコンロや暖房機器などのように、子供では操作が難しい電気機器があり、エアコンなどのように、使用し続けると料金が高くなる電気機器などもある。このように、子供が留守番をする場合には、少なからず注意すべきことが存在する。近年では、宅内の電気機器を管理する技術として、家庭内ＬＡＮ（Local  Area  Network）に接続される情報家電や宅内に設置される電気機器を操作する制御装置などが知られている。
【先行技術文献】
【特許文献】
【０００３】
【特許文献１】特開２０１２−１１４６６６号公報
【発明の概要】
【発明が解決しようとする課題】
【０００４】
しかしながら、上記技術では、外出している親が、子供が帰宅したことを検出し、子供が留守番している宅内の情報機器を操作することができない。
【０００５】
例えば、子供の年齢が小さいときは、鍵の閉め忘れがあったり、エアコンの付け方がわからなかったりすることがある。このため、親が不在のときに子供が帰宅したとしても、鍵を忘れずに閉めたか、熱中症を防ぐためにエアコンをつけたかなどを、親が確認することができず、子供の状況を把握できない。
【０００６】
一つの側面では、ユーザが建物外にいるときに建物内の電気機器を操作することができる建物、コントロール装置、制御方法および制御プログラムを提供することを目的とする。
【課題を解決するための手段】
【０００７】
第１の案では、建物は、電気機器と、前記電気機器を操作するコントローラ装置とを有する。前記コントローラ装置は、無線通信リンクを用いて端末装置を監視する監視部と、前記監視部に監視される端末装置の連絡先に関する連絡先情報を記憶する記憶部とを有する。前記コントローラ装置は、前記端末装置と接続される無線通信リンクが切断された状態で、ユーザからの操作を受け付けた場合に、前記記憶部に記憶される前記連絡先情報を基にして、前記端末装置との間でセッションを確立する確立部を有する。前記コントローラ装置は、確立された前記セッションを用いて、前記端末装置から前記電気機器の操作に関する情報を受信した場合に、前記電気機器を操作する操作部を有する。建物は、床部と、前記床部から立ち上がると共に室内空間を囲む壁部であって、該壁部は前記コントローラ装置を有する。
【発明の効果】
【０００８】
一実施形態によれば、ユーザが建物外にいるときに建物内の電気機器を操作することができる。
【図面の簡単な説明】
【０００９】
【図１】図１は、実施例１にかかるスマートスイッチを説明する図である。
【図２】図２は、スマートスイッチの設置個所の例を説明する図である。
【図３】図３は、実施例１にかかるスマートスイッチのハードウェア構成例を説明する図である。
【図４】図４は、実施例１にかかるスマートスイッチの機能構成を示す機能ブロック図である。
【図５】図５は、監視対象ＤＢに記憶される情報の例を示す図である。
【図６】図６は、コマンドＤＢに記憶される情報の例を示す図である。
【図７】図７は、処理の流れを示すシーケンス図である。
【図８】図８は、連絡先ＤＢに記憶される情報の例を示す図である。
【図９】図９は、スマートスイッチの画面の遷移例を説明する図である。
【発明を実施するための形態】
【００１０】
以下に、本願の開示する建物、コントロール装置、制御方法および制御プログラムの実施例を図面に基づいて詳細に説明する。なお、この実施例によりこの発明が限定されるものではない。また、各実施例は、矛盾のない範囲内で適宜組み合わせることができる。
【実施例１】
【００１１】
［全体構成］
図１は、実施例１にかかるスマートスイッチ１０を説明する図である。実施例１にかかるスマートスイッチ１０は、マンションや戸建てなどの自宅１に設置されるコントローラ装置の一例である。
【００１２】
このスマートスイッチ１０は、スマートフォンなどの通信装置と同様の機能を有する。例えば、スマートスイッチ１０は、タッチパネル、カメラ、スピーカ、温度や湿度などの各種センサ、ＳＩＭ（Subscriber  Identity  Module）カードを有する。
【００１３】
さらに、スマートスイッチ１０は、家庭内ＬＡＮによって自宅１内の情報家電と接続される。例えば、スマートスイッチ１０は、部屋の照明１ａを制御する制御機能を有する。ここで、スマートスイッチ１０は、自宅内で家族が移動する動線上、特に子供３が家に帰ってからリビング等に行くまでの動線上に設置される。また、図２は、スマートスイッチ１０の設置個所の例を説明する図である。
【００１４】
図２には、家族が生活する一般的な部屋の間取り図が示される。図２に示す矢印の箇所にスマートスイッチ１０が設置される。例えば、スマートスイッチ１０は、子供３が自宅に入ったときにはじめに電気をつける照明スイッチの箇所、留守中の子供３の滞在時間が長いと予想されるリビングの照明スイッチの箇所などに置き換えられるとともに、一般的な小学生が操作できる高さ（位置）に設置される。つまり、スマートスイッチ１０は、玄関、リビング、洗面所、自分の部屋などを移動する子供３の動線上に設置される。
【００１５】
なお、動線上の全照明スイッチと置き換えて、スマートスイッチ１０を設置してもよく、任意に選択した複数の照明スイッチと置き換えてもよく、子供３が帰宅後にはじめに操作する照明スイッチを特定して置き換えてもよい。また、各照明スイッチをスマートスイッチ１０に置き換えるとともに、各スマートスイッチ１０を統合的に管理するスマートスイッチを設置してもよい。その場合、統合管理するスマートスイッチ１０が後述する機能を有し、各照明スイッチに対して同様の処理を実行する。
【００１６】
なお、自宅１は、床部と、床部と対向する天井部と、床部から立ち上がると共に室内空間を囲む壁部とを備える建物である。つまり、床部、天井部、壁部によって、自宅１の内部空間が区画され、室内空間が形成される。床部は、フローリング材等の内装床材で仕上げられる。天井部は、照明１ａが配置される。壁部は、出入り口、窓などが設けられると共に、スマートスイッチ１０が配置される。ここで、壁部の内部には、電気配線用の配線孔が設けられている。そして、スマートスイッチ１０と照明１ａとは、配線孔を通るケーブルにより接続され、スマートスイッチ１０がオンの状態では、系統電源から照明１ａへ電力供給が行われ、照明１ａの点灯状態は「点灯」になる。また、スマートスイッチ１０がオフの状態では、系統電源から照明１ａへ電力供給が行われず、照明１ａの点灯状態は「消灯」になる。
【００１７】
図１に戻り、スマートスイッチ１０は、近距離通信を用いて、監視対象である親２の無線通信端末５０を監視し、監視対象である親２の無線通信端末５０が自宅１に存在する場合は、照明１ａをオン／オフさせるための照明操作画面をタッチパネル上に表示させて、通常の照明スイッチとして機能する。
【００１８】
そして、スマートスイッチ１０は、親２の無線通信端末５０を所持して外出したことにより、無線通信端末５０の通信が途切れると、照明１ａが消灯されて留守番モードとなる。その後、スマートスイッチ１０は、子供３が帰宅して照明１ａをつけるために、スマートスイッチ１０を押下すると、親２の無線通信端末５０の電話番号やＩＰ（Internet  Protocol）アドレスなどを用いて、ネットワークＮ上に無線通信端末５０との間でセッションを確立する。なお、ネットワークＮは、有線や無線を問わず、携帯電話のキャリアが提供するキャリア網やインターネットなどを採用することができる。
【００１９】
セッション確立後、スマートスイッチ１０は、セッションを介して、無線通信端末５０から自宅１内に設置されるエアコン１００、電気コンロ１１０、電子ロック１２０などの家電等を操作するコマンドを受信すると、コマンドに該当する操作を家電に対して実行する。例えば、スマートスイッチ１０は、エアコン１００を起動するために予め指定された「＃０１」などのプッシュ信号を受信すると、赤外線通信を用いて、エアコン１００に起動コマンドを発行して、エアコン１００を起動する。
【００２０】
このように、スマートスイッチ１０は、親２が留守であっても、子供３が帰宅したタイミングで、外出中の親２によるエアコンなどの操作を許容することができる。つまり、親２などのユーザが建物外にいるときに建物内の電気機器を操作することができる。
【００２１】
［ハードウェア構成］
図３は、実施例１にかかるスマートスイッチ１０のハードウェア構成例を説明する図である。図３に示すように、スマートスイッチ１０は、無線部１１、近距離通信部１２、表示部１３、マイク１４、スピーカ１５、ＨＤＤ（Hard  Disk  Drive）１６、メモリ１７、プロセッサ２０を有する。なお、ここで示したハードウェアは一例であり、例えばカメラや各種センサなど他のハードウェアを有することもできる。
【００２２】
無線部１１は、アンテナ１１ａを用いて無線通信を実行する無線モジュールであり、例えば無線ＬＡＮ（Local  Area  Network）やキャリア網などを用いて他の装置との間で、音声通話などを実行する。近距離通信部１２は、Ｂｌｕｅｔｏｏｔｈ（登録商標）（以下ではＢＬＥなどと記載する場合がある）等の近距離無線モジュールであり、自宅１内の無線通信端末との間で情報の通信を司る通信インタフェースである。
【００２３】
表示部１３は、タッチパネルを有するとともに、各種情報を表示する表示装置の一例である。この表示部１３は、１画面表示および２画面表示の切替を可能とし、画面ごとのタッチパネル制御も可能とする。マイク１４は、音を集音してプロセッサ２０に出力する集音器の一例である。スピーカ１５は、プロセッサ２０から入力された音声を出力する出力器の一例である。
【００２４】
ＨＤＤ１６は、データやプログラムなどを記憶する記憶装置の一例であり、例えばプロセッサ２０が実行する各種プログラムを記憶する。
【００２５】
メモリ１７は、プログラムの展開先となる記憶装置の一例である。メモリ１７の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００２６】
プロセッサ２０は、スマートスイッチ１０全体を司る処理部であり、例えばＣＰＵ（Central  Processing  Unit）などである。プロセッサ２０は、ハードディスク等に記憶されるプログラムを読み出してメモリ１７に展開して実行することで、後述する各機能部を実行する。なお、プロセッサ２０の一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００２７】
［機能構成］
図４は、実施例１にかかるスマートスイッチ１０の機能構成を示す機能ブロック図である。図４に示すように、スマートスイッチ１０は、監視対象ＤＢ２１、コマンドＤＢ２２、スイッチ制御部２３、監視部２４、セッション確立部２５、受信部２６、コマンド発行部２７を有する。
【００２８】
なお、監視対象ＤＢ２１、コマンドＤＢ２２は、ＨＤＤ１６などに記憶されるデータベースである。スイッチ制御部２３、監視部２４、セッション確立部２５、受信部２６、コマンド発行部２７は、プロセッサ２０が有する電子回路の一例やプロセッサ２０が実行するプロセスの一例である。
【００２９】
監視対象ＤＢ２１は、自宅１内で存在有無を監視する監視対象の無線通信端末に関する情報を記憶する。図５は、監視対象ＤＢ２１に記憶される情報の例を示す図である。図５に示すように、監視対象ＤＢ２１は、「ユーザ名、ＩＤ、電話番号、アドレス」を対応付けて記憶する。
【００３０】
ここで記憶される「ユーザ名」は、監視対象のユーザ名を示す情報である。「ＩＤ」は、後述する監視部２４に使用される、近距離通信で使用される識別子などである。「電話番号」は、発信先の電話番号であり、「アドレス」は、メールアドレスなどである。
【００３１】
図５の例では、監視対象として、ＩＤが「ＭＭＭＭ」の「ママ」とＩＤが「ＦＦＦＦ」の「パパ」とが設定されていることを示す。また、ママの端末の電話番号が「ＴＥＬ（Ａ）」でアドレスが「Ａｄｄｒ（Ａ）」であり、通知対象である。パパの端末の電話番号が「ＴＥＬ（Ｂ）」でアドレスが「Ａｄｄｒ（Ｂ）」であり、通知対象である。なお、ＩＤは、使用する近距離通信の種別等によって、任意に設定変更することができる。また、ここで記憶される情報は、親などのユーザによって任意に変更することができる。
【００３２】
コマンドＤＢ２２は、家電を操作するコマンドを記憶するデータベースである。ここで記憶される情報は、親２等により任意に変更できる。図６は、コマンドＤＢ２２に記憶される情報の例を示す図である。図６に示すように、コマンドＤＢ２２は、「コマンド、電気機器、操作内容」を対応付けて記憶する。
【００３３】
ここで記憶される「コマンド」は、プッシュ信号で識別される識別番号であり、コマンドを特定する情報である。「電気機器」は、コマンドによる操作対象の電子機器を示す情報である。「操作内容」は、電気機器への具体的な操作内容を示す。図６の場合、「＃０１」は、「エアコン」を「起動」するコマンドであることを示し、「＃０１０２」は、「エアコン」の動作種別を「冷房」に変更するコマンドであることを示す。なお、ここでは、プッシュ信号を用いる例を説明したが、これに限定されるものではない。例えば、コマンド操作のために制作された専用のアプリケーションなどを用いることもできる。
【００３４】
スイッチ制御部２３は、対応する照明１ａのオンやオフを実行する処理部である。具体的には、スイッチ制御部２３は、スマートスイッチ１０の表示部１３へのタッチ操作を検出して照明１ａのオンやオフを実行し、照明スイッチとしての機能を提供する。
【００３５】
監視部２４は、近距離通信を用いて、自宅１内で無線通信装置の存在を監視する処理部である。具体的には、監視部２４は、一定の間隔で、監視対象ＤＢ２１に記憶される各ＩＤに対してＢＬＥを用いた信号を送信し、応答があるか否かを監視する。つまり、監視部２４は、自宅１内で子供３が留守番している留守番状態か否かを監視する。
【００３６】
例えば、監視部２４は、監視対象ＤＢ２１に記憶されるＩＤ「ＭＭＭＭ」とＩＤ「ＦＦＦＦ」とのそれぞれに信号を送信し、いずれのＩＤからも応答が届かない時間が所定時間（例えば、５分など）継続した場合に、留守番状態と判定して、セッション確立部２５に通知する。なお、監視部２４は、強制的に留守番モードに変更するなどの予め指定した操作を受け付けた場合にも、留守番状態と判定することもできる。
【００３７】
また、監視部２４は、留守番状態後も、監視対象ＤＢ２１に記憶されるＩＤ「ＭＭＭＭ」とＩＤ「ＦＦＦＦ」とのそれぞれに信号を定期的に送信し、いずれかのＩＤから応答を受信した場合に、通常状態と判定して、セッション確立部２５に通知する。なお、監視部２４は、強制的に通常モードに変更するなどの予め指定した操作を受け付けた場合にも、通常状態と判定することもできる。
【００３８】
セッション確立部２５は、自宅１が留守番状態のときに、子供３が帰宅したことを検出すると、親２が使用する無線通信端末との間でセッションを確立する処理部である。具体的には、セッション確立部２５は、自宅１が留守番状態のときに、スマートスイッチ１０の表示部１３へのタッチ操作を検出すると、スイッチ制御部２３による照明操作と並行して、セッションの確立を実行する。
【００３９】
例えば、セッション確立部２５は、監視対象ＤＢ２１を参照して、ママの電話番号「ＴＥＬ（Ａ）」を取得し、「ＴＥＬ（Ａ）」に発信する。そして、セッション確立部２５は、ママの無線通信端末から応答を受信すると、スマートスイッチ１０とママの無線通信端末との間で、キャリア回線を用いたセッションを確立する。
【００４０】
なお、セッションの確立手法は一例であり、これに限定されるものではない。例えば、監視対象ＤＢ２１にさらにＩＰアドレスなどを対応付けておき、ＩＰアドレス等を用いたセッションを確立することもできる。例えば、セッション確立部２５は、ＬＴＥ（Long  Term  Evolution）などの通信方式を使用して、ママの電話番号「ＴＥＬ（Ａ）」とアドレス「ＩＰ（Ａ）」とを含むＳＩＰ（Session  Initiation  Protocol）信号を送信し、ＳＩＰを用いたセッションを確立することもできる。また、セッション確立部２５は、ＬＴＥを使用して、ママの無線通信端末のＩＰアドレス（ＩＰ（Ａ））を用いたＶＰＮ（Virtual  Private  Network）の各種要求を送受信し、ＶＰＮによるセッションを確立することもできる。
【００４１】
また、セッション確立部２５は、親２の無線通信端末からの切断要求を受信した場合、セッション確立から所定時間経過した場合に、セッションを切断する。このとき、セッション確立部２５は、セッションの再確立のために、識別子やアドレス情報などセッションに関するセッション情報を保持することもできる。
【００４２】
受信部２６は、セッション確立部２５によって確立されたセッションを介して、無線通信端末からコマンドを受信する処理部である。具体的には、受信部２６は、キャリア回線を用いたセッションを介して、プッシュ信号「＃０１」などを受信する。すると、受信部２６は、受信したプッシュ信号「＃０１」をコマンド発行部２７に出力する。なお、受信部２６は、ＳＩＰやＶＰＮなどを用いたセッションであっても、予め指定した信号を受信して、コマンド発行部２７に出力することができる。
【００４３】
コマンド発行部２７は、受信部２６によって受信された信号に対応するコマンドを発行する処理部である。例えば、コマンド発行部２７は、プッシュ信号「＃０１」が入力されると、コマンドＤＢ２２を参照して、「＃０１」に対応する操作「エアコン、起動」を特定する。そして、コマンド発行部２７は、赤外線通信などを用いて、エアコンを起動するコマンドをエアコンに送信する。
【００４４】
なお、コマンド発行部２７は、赤外線通信に限らず、家庭内ＬＡＮなどを用いてコマンドを発行することもできる。また、コマンド発行部２７は、図６に記憶される操作内容ごとにコマンドを予め記憶しているものとする。
【００４５】
［処理の流れ］
次に、上述したコマンド発行の処理の流れについて説明する。図７は、処理の流れを示すシーケンス図である。なお、ここでは、監視対象をママの無線通信端末の１台とする。
【００４６】
図７に示すように、スマートスイッチ１０のスイッチ制御部２３は、表示部１３上でオンまたはオフ操作を受け付けて、照明器具に対して、照明１ａのオンとオフを制御する（Ｓ１０１）。
【００４７】
この照明機能と並行して、スマートスイッチ１０の監視部２４は、監視対象のママの無線通信装置（以降では、ママ端末と記載する場合がある）を監視する（Ｓ１０２とＳ１０３）。その後、監視部２４は、ママ端末からの応答が一定時間受信できないことから、ママ端末との通信断を検出する（Ｓ１０４とＳ１０５）。すなわち、監視部２４は、留守番状態と判定する。
【００４８】
その後、セッション確立部２５は、帰宅した子供３が照明器具を点灯させるためにスマートスイッチ１０を操作したことを検出すると（Ｓ１０６）、監視対象ＤＢ２１を参照して、ママ端末に発信する（Ｓ１０７とＳ１０８）。そして、セッション確立部２５は、ママ端末から応答を受信すると（Ｓ１０９とＳ１１０）、ママ端末との間でセッションを確立する（Ｓ１１１）。
【００４９】
セッション確立後、ママ端末からコマンドが発行されると（Ｓ１１２とＳ１１３）、スマートスイッチ１０の受信部２６がコマンドを受信し、コマンド発行部２７が、該当する電気機器に対して、コマンドで指定された操作を実行する（Ｓ１１４からＳ１１６）。そして、セッション確立部２５は、ママ端末から切断通知を受信すると、セッションを切断する（Ｓ１１７からＳ１１９）。
【００５０】
その後、セッション確立部２５は、ママ端末から電話番号等を用いた発信を受信すると（Ｓ１２０とＳ１２１）、この発信に応答し（Ｓ１２２とＳ１２３）、セッションを再度確立する（Ｓ１２４）。例えば、ママ端末は、ＳＩＰ、ＶＰＭなど他の手法でスマートスイッチ１０にセッション確立要求を送信することもできる。また、スマートスイッチ１０は、過去のセッション情報を用いてセッションを再確立することで、セッションの確立にかかる時間を短縮することもできる。
【００５１】
セッション確立後、ママ端末からコマンドが発行されると（Ｓ１２５とＳ１２６）、スマートスイッチ１０の受信部２６がコマンドを受信し、コマンド発行部２７が、該当する電気機器に対して、コマンドで指定された操作を実行する（Ｓ１２７からＳ１２９）。
【００５２】
［効果］
上述したように、スマートスイッチ１０を既存の照明スイッチに置き換えることができるので、新たな電気機器を増やさずにエアコンなどの操作を実行することができる。スマートスイッチ１０は、子供３が留守番中であっても注意が必要な家電を外部から遠隔で操作することができ、留守番中の危険度を小さくすることができる。スマートスイッチ１０は、電話操作の延長でコマンドを認識することができるので、情報リテラシーが高くない親であっても簡単に使用することができる。
【実施例２】
【００５３】
ところで、実施例１では、子供３の帰宅状況を通知した後は、通常の照明スイッチとして機能する例を説明したが、これに限定されるものではない。例えば、スマートスイッチ１０は、子供３が帰宅した後に、外出中の親と留守番中の子供３とが簡単に通話できるインタフェースとして機能することができる。
【００５４】
そこで、実施例２では、外出中の親と留守番中の子供とが簡単に通話できるスマートスイッチ１０の機能を説明する。実施例２にかかるスマートスイッチ１０は、各無線通信端末の発信先に関する情報を記憶する連絡先ＤＢを記憶する。図８は、連絡先ＤＢに記憶される情報の例を示す図である。図８に示すように、連絡先ＤＢは、「優先順位、グループ名、ユーザ名、電話番号、アドレス」を対応付けて記憶する。ここで記憶される「優先順位」は、発信の優先順位を示し、「グループ名」は、ユーザグループを示す。「ユーザ名」は、発信先のユーザの名称であり、「電話番号」は、発信先の電話番号であり、「アドレス」は、メールアドレスなどである。なお、連絡先ＤＢは、これら以外にも、表示に使用される画像などを対応付けて記憶する。
【００５５】
図８の場合、優先順位１は、電話番号「ＴＥＬ（Ａ）」とメールアドレス「Ａｄｄｒ（Ａ）」が設定される、家族のママであり、優先順位４は、電話番号「ＴＥＬ（Ｄ）」とメールアドレス「Ａｄｄｒ（Ｄ）」が設定される、ママ友である花子ちゃんママであることを示す。また、優先順位の最後には、サービサーの電話番号およびアドレスが設定される。なお、サービサーとは、予め契約した第三者機関であり、必ず電話に応答することが約束されている。
【００５６】
次に、子供の帰宅状況を通知した後のスマートスイッチの処理について説明する。図９は、スマートスイッチ１０の画面の遷移例を説明する図である。スマートスイッチ１０は、図９の（ａ）に示すように、監視対象の無線通信装置が自宅１内に存在するときは、照明操作画面のみを表示する。なお、照明操作画面は、照明１ａのオン／オフを切り替える操作を行う画面の一例である。
【００５７】
そして、スマートスイッチ１０は、監視対象の無線通信装置が検出できなくなった場合に、表示部１３の表示領域を２つに分割し、第１の領域に照明操作画面を表示し、第２の領域に優先順位１のママの画像を表示する（図９の（ｂ））。
【００５８】
その後、スマートスイッチ１０は、第２の領域に表示されるママの画像が押下されると、ママへの発信を行い、第２の領域に呼出中のメッセージを表示する（図９の（ｃ））。ここで、スマートスイッチ１０は、ママが応答すると、音声通話を確立し、第２の領域に通話中のメッセージを表示する（図９の（ｄ））。
【００５９】
一方、スマートスイッチ１０は、ママが電話に出ない時は、優先順位２のパパへの発信を行う（図９の（ｅ））。このとき、スマートスイッチ１０は、第２の領域に優先順位２のパパの画像を表示するとともに、呼出中のメッセージを表示する。
【００６０】
ここで、スマートスイッチ１０は、パパが応答すると、音声通話を確立し、第２の領域に通話中のメッセージを表示する（図９の（ｆ））。一方、スマートスイッチ１０は、パパが電話にでないときは、パパ以降の優先順位にしたがって、おじいちゃん、花子ちゃんママ、特許くんママの順に、発信処理を実行する。
【００６１】
そして、スマートスイッチ１０は、誰とも電話がつながらない場合は、優先順位の最後であるサービサーと音声通話を確立する（図９の（ｇ））。このとき、スマートスイッチ１０は、第２の領域にサービサーを表示するとともに、通話中のメッセージを表示する。
【００６２】
このように、実施例２にかかるスマートスイッチ１０は、携帯電話を持っていない子供や携帯電話を操作できない場合でも、簡単な操作による親との通話を子供に提供することができるので、親にも子供に安心感を与えることができる。また、自宅内の動線上にスマートスイッチ１０を設定するので、子供が簡単にスマートスイッチ１０を見つけることができ、緊急時でも素早く親に連絡することができる。また、通話先の最後のサービサーを含めることで、絶対に誰かに通話できるという安心感を子供および親の両方に与えることができ、システム導入のハードルも下げることができる。
【実施例３】
【００６３】
さて、これまで本発明の実施例について説明したが、本発明は上述した実施例以外にも、種々の異なる形態にて実施されてよいものである。そこで、以下に異なる実施例を説明する。
【００６４】
［通信方式］
上記実施例では、無線通信リンクの例としてＢＬＥを例にして説明したが、これに限定されるものではない。例えば、無線ＬＡＮなどを用いて監視および発信を行うこともできる。また、通常の電話機能ではなく、電話機能を実現するアプリケーションなどを用いて発信処理を行うこともできる。
【００６５】
［コマンドの制御対象］
上記実施例では、エアコンの起動を例にして説明したが、これに限定されるものではない。例えば、電気コンロ１１０の電源オフ、電子ロック１２０の自動施錠、インターホンの応答ロック（インターホンを無効化）など、子供が単独で行うことが難しい操作や操作を忘れた場合に危険が生じる可能性がある操作などをコマンド化することができる。
【００６６】
［着信処理］
上記実施例では、スマートスイッチ１０が発信する例で説明したが、スマートスイッチ１０は着信処理を実行することもできる。例えば、スマートスイッチ１０は、ママ端末から着信したときは、ママの画像を表示部１３の第２の領域に表示させる。なお、スマートスイッチ１０は、連絡先ＤＢに記憶される電話番号に限って着信を認めるなどの制限を設定することもできる。
【００６７】
［スマートスイッチの筐体］
上記実施例では、スマートスイッチ１０が表示部１３を有する例を説明したが、これに限定されるものではない。例えば、表示部１３と上記処理を実行するコントロール部とを別々の筐体で実現することもできる。なお、設置場所も自宅に限らず、学校、会社、病院、データセンタなどにも適用することができる。また、実施例では、照明１ａを操作する画面を表示する例を説明したが、操作対象は照明１ａに限られず、テレビやエアコンなど他の電気機器であってもよい。
【００６８】
［システム］
記文書中や図面中で示した処理手順、制御手順、具体的名称、各種のデータやパラメータを含む情報については、特記する場合を除いて任意に変更することができる。
【００６９】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７０】
［プログラム］
また、スマートスイッチ１０は、プログラムを読み出して実行することで制御方法を実行する情報処理装置として動作する。つまり、スマートスイッチ１０は、スイッチ制御部２３、監視部２４、セッション確立部２５、受信部２６、コマンド発行部２７と同様の機能を実行するプログラムを実行する。この結果、スマートスイッチ１０は、スイッチ制御部２３、監視部２４、セッション確立部２５、受信部２６、コマンド発行部２７と同様の機能を実行するプロセスを実行することができる。なお、この他の実施例でいうプログラムは、スマートスイッチ１０によって実行されることに限定されるものではない。例えば、他のコンピュータまたはサーバがプログラムを実行する場合や、これらが協働してプログラムを実行するような場合にも、本発明を同様に適用することができる。
【００７１】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００７２】
１０  スマートスイッチ
２１  監視対象ＤＢ
２２  コマンドＤＢ
２３  スイッチ制御部
２４  監視部
２５  セッション確立部
２６  受信部
２７  コマンド発行部
【図１】
2018125678.tif 000003
【図２】
2018125678.tif 000004
【図３】
2018125678.tif 000005
【図４】
2018125678.tif 000006
【図５】
2018125678.tif 000007
【図６】
2018125678.tif 000008
【図７】
2018125678.tif 000009
【図８】
2018125678.tif 000010
【図９】
2018125678.tif 000011